(57)【要約】【課題】収納部の上方にレール部材がある場合にも、収納部に引き戸部材の擦れカスが落下することを確実に防止することができ、収納部に収納される商品の品質を良好に維持することのできるショーケースを提供すること。【解決手段】引き戸部材(14)の上部ガイド(34)が、収納部(6)の上方にある上側レール(40)の突出部(48,50)に当接し、当該突出部の下方に、上方に開口した断面Ｌ字状をなす受け部(52,54)を形成する。【選択図】図４
2009045086.tif 000002
【特許請求の範囲】
【請求項１】
ケース本体内に上方に開口し商品が収納される収納部を有するショーケースであって、
前記収納部上方に上縁が位置し、前記ケース本体の側部に下縁が位置する開口部と、
該開口部を開閉する引き戸部材と、
前記開口部の上縁に配設され、前記引き戸部材の上部の内側面と当接して該引き戸部材を幅方向に摺動可能に支持する上側レール部材と、
前記引き戸部材と前記上側レール部材との当接部分の下方に形成され、該当接部分から生じる擦れカスを受ける受け部と、
を備えることを特徴とするショーケース。
【請求項２】
前記受け部は、上方に開口した形状をなしていることを特徴とする請求項１記載のショーケース。
【請求項３】
前記受け部は、前記上側レール部材が前記当接部分より下方に延長して形成されていることを特徴とする請求項１または２記載のショーケース。
【請求項４】
前記上側レール部材には、外側面から引き戸部材側に突出した突出部が形成されており、該突出部の先端が前記引き戸部材の上部の内側面と当接して、該引き戸部材を幅方向に摺動可能に支持し、
前記受け部は、前記上側レール部材が前記突出部より下方に延長し、下端部分にて屈曲して外側且つ上方に延びた延出部からなることを特徴とする請求項３記載のショーケース。
【請求項５】
前記引き戸部材は、上端部分に内側に突出した突出片が形成されており、当該突出片の先端が前記上側レールと当接して幅方向に摺動可能に支持され、
前記受け部は、前記上側レール部材が前記当接部分より下方に延長し、下端部分にて屈曲して外側且つ上方に延びた延出部からなることを特徴とする請求項３記載のショーケース。
【請求項６】
前記引き戸部材は、前記突出片と前記受け部の延出部との間に隙間を有しつつ、前記突出片の先端が該受け部の屈曲部分にて位置決めされていることを特徴とする請求項５記載のショーケース。
【請求項７】
前記受け部は、前記引き戸部材の前記当接部分より下方位置から内側に延出して形成されていることを特徴とする請求項１または２記載のショーケース。
【請求項８】
前記引き戸部材は、少なくとも前記上側レール部材との当接部分が該上側レール部材よりも柔らかい素材で形成されていることを特徴とする請求項１乃至７記載のショーケース。
【発明の詳細な説明】
【技術分野】
【０００１】
本発明は、商品を収納する収納部を有する本体ケースの開口部に引き戸部材が設けられているショーケースに関する。
【背景技術】
【０００２】
本体ケース内にある収納部にアイスクリーム等の商品等が収納され、開口部には透明な引き戸部材が設けられて比較的機密性の高い所謂冷凍ショーケースがある。
このようなショーケースでは、開口部が奥側から手前側に向け下方に傾斜した形状、即ち開口部が斜め上方に向けて開口した形状のものが多くある。そして、引き戸部材は当該開口部において幅方向に摺動することで開閉する。
【０００３】
例えば、収納部（貯蔵室）の奥側上方に上縁レールが設けられ、手前側に下縁レールが設けられており、当該上縁レール及び下縁レールに上端及び下端が幅方向に摺動可能に支持された４枚の引き戸部材（扉）を有するショーケースがある（特許文献１参照）。
【特許文献１】特開２００２−２３８７１１号公報
【発明の開示】
【発明が解決しようとする課題】
【０００４】
しかしながら、上記特許文献１に開示されているショーケースや一般のショーケースでは、引き戸部材が垂直ではなく傾斜して支持されているため、上側レールには引き戸部材の自重がかかり、引き戸部材の開閉が繰り返されることで、当該引き戸部材と、当該引き戸部材を支持しているレール部材との間で摩擦が生じ当該引き戸部材とレール部材との当接部分から擦れカスが生じる。例えば、引き戸部材の上端縁及び下端縁には樹脂部材が設けられており、当該樹脂部材が金属製のレール部材と摺動することで樹脂が削れて擦れカスが生じる。
【０００５】
そして、収納部の上方に位置する引き戸部材の上端縁から生じた擦れカスが収納部の商品、特にパッケージングされていないような食品等にかかると品質の悪化を招くという問題がある。
これは、たとえレール部材にローラ等の回転部材を設け、当該ローラを介して引き戸部材を摺動させるものとしても、ローラから擦れカスが生じるおそれがあり確実に上記問題を解決できるものではない上、コストも増加し好ましくない。
【０００６】
本発明はこのような問題を解決するためになされたもので、その目的とするところは、収納部の上方にレール部材がある場合にも、収納部に引き戸部材の擦れカスが落下することを確実に防止することができ、収納部に収納される商品の品質を良好に維持することのできるショーケースを提供することにある。
【課題を解決するための手段】
【０００７】
上記した目的を達成するために、請求項１のショーケースでは、ケース本体内に上方に開口し商品が収納される収納部を有するショーケースであって、前記収納部上方に上縁が位置し、前記ケース本体の側部に下縁が位置する開口部と、該開口部を開閉する引き戸部材と、前記開口部の上縁に配設され、前記引き戸部材の上部の内側面と当接して該引き戸部材を幅方向に摺動可能に支持する上側レール部材と、前記引き戸部材と前記上側レール部材との当接部分の下方に形成され、該当接部分から生じる擦れカスを受ける受け部とを備えることを特徴としている。
【０００８】
請求項２のショーケースでは、請求項１において、前記受け部は、上方に開口した形状をなしていることを特徴としている。
請求項３のショーケースでは、請求項１または２において、前記受け部は、前記上側レール部材が前記当接部分より下方に延長して形成されていることを特徴としている。
請求項４のショーケースでは、請求項３において、前記上側レール部材には、外側面から引き戸部材側に突出した突出部が形成されており、該突出部の先端が前記引き戸部材の上部の内側面と当接して、該引き戸部材を幅方向に摺動可能に支持し、前記受け部は、前記上側レール部材が前記突出部より下方に延長し、下端部分にて屈曲して外側且つ上方に延びた延出部からなることを特徴としている。
【０００９】
請求項５のショーケースでは、請求項３において、前記引き戸部材は、上端部分に内側に突出した突出片が形成されており、当該突出片の先端が前記上側レールと当接して幅方向に摺動可能に支持され、前記受け部は、前記上側レール部材が前記当接部分より下方に延長し、下端部分にて屈曲して外側且つ上方に延びた延出部からなることを特徴としている。
【００１０】
請求項６のショーケースでは、請求項５において、前記引き戸部材は、前記突出片と前記受け部の延出部との間に隙間を有しつつ、前記突出片の先端が該受け部の屈曲部分にて位置決めされていることを特徴としている。
請求項７のショーケースでは、請求項１または２において、前記受け部は、前記引き戸部材の前記当接部分より下方位置から前記内側に延出して形成されていることを特徴としている。
【００１１】
請求項８のショーケースでは、請求項１乃至７において、前記引き戸部材は、少なくとも前記上側レール部材との当接部分が該上側レール部材よりも柔らかい素材で形成されていることを特徴としている。
【発明の効果】
【００１２】
上記手段を用いる本発明の請求項１、３、７のショーケースによれば、ケース本体内に上方に開口した収納部を有するショーケースであって、収納部の上方に上縁が位置しケース本体の側部に下縁が位置する、即ち斜め上方に開口した開口部に引き戸部材が設けられ、当該引き戸部材が開口部の上縁に設けられた上側レール部材に当接し摺動可能に支持されており、上側レール部材（請求項３）または引き戸部材（請求項７）において、引き戸部材及び上側レール部材の当接部分の下方に当該当接部分から生じる擦れカスを受ける受け部が形成されている。
【００１３】
つまり、引き戸部材の開閉により引き戸部材と上側レール部材との当接部分が摩擦して擦れカスが生じた場合にも、当該当接部分の下方にある受け部により擦れカスが捕捉される。
これにより、上側レール下方にある収納部へ擦れカスが落下することを確実に防止することができる。
【００１４】
以上のことから、収納部の上方に上側レールが位置するショーケースにおいても、当該収納部に引き戸部材の擦れカスが落下することを確実に防止することができ、収納部に収納される商品の品質を良好に維持することができる。
請求項２のショーケースによれば、前記受け部を、上方に開口した形状とする。
つまり、落ちてきた擦れカスを受け部によって確実に捕捉することができる。
【００１５】
請求項４のショーケースによれば、上側レール部材に形成された突出部と引き戸部材上部とが当接し、受け部は上側レール部材が前記突出部より下方に延長し当該上側レール部材の下端部分にて屈曲して引き戸部材側且つ上方に延びた延出部からなる。
つまり、上側レール部材の突出部が引き戸部材と当接することで、当接面積を縮小することができ、擦れカスの量を減少させることができる。
【００１６】
また、受け部は上側レールの下端部分を屈曲させた簡素な形状で形成することができる。
請求項５のショーケースによれば、引き戸部材に形成された突出片と上側レール部材とが当接し、受け部は上側レール部材が前記突出部より下方に延長し当該上側レール部材の下端部分にて屈曲して引き戸部材側且つ上方に延びた延出部からなる。
【００１７】
つまり、引き戸部材の突出片が引き戸部材と当接することで、当接面積を縮小することができ、擦れカスの量を減少させることができる。
また、受け部は上側レールの下端部分を屈曲させた簡素な形状で形成することができる。
請求項６のショーケースによれば、引き戸部材の突出片と受け部の延出部との間に隙間を有しつつ、突出片の先端が該受け部の屈曲部分にて位置決めされている。
【００１８】
つまり、引き戸部材の位置決めを引き戸部材により行うことができ、簡単な操作で引き戸部材の取り付け及び取り外しを行うことができ当該ショーケースの整備等の作業性を向上させることができる。
請求項８のショーケースによれば、引き戸部材の少なくとも上側レール部材との当接部分を当該上側レールよりも柔らかい素材で形成する。
【００１９】
これにより、引き戸部材の開閉による摩擦によって当接部分が削れる場合に、交換が容易な引き戸部材側が削れるようにすることができる。
【発明を実施するための最良の形態】
【００２０】
以下、本発明の実施の形態を図面に基づき説明する。
図１乃至図４を参照すると、図１には本発明に係るショーケースの斜視図が示されており、図２には本発明に係るショーケースの全体断面図、図３には部分断面部、図４には要部断面図がそれぞれ示されている。
同図に示すショーケース１は、ケース本体２内部に設けられた収納部４を低温に保つ冷凍ショーケースである。
【００２１】
ケース本体２は、上方に開口した箱部６、当該箱部６の幅方向両側面上縁から上方に立設した側板部８、８、及び当該両側板部８の上部を連結するように幅方向に延びた天井部１０から構成されている。そして、当該ケース本体２の奥行方向両側上部には、当該箱部６、各側板部８、及び天井部１０に囲まれ傾斜した開口部１２、１２が形成されており、当該開口部１２、１２には当該開口部１２、１２を開閉する引き戸部材１４、１４が設けられている。
【００２２】
詳しくは、箱部６は、機械室１６の上部に断熱材で形成され底面の一部が下方に凹んだ略箱形状の断熱部１８が形成されている。そして、当該断熱部１８の内側に上方に開口した箱形状の収納部４が配設されている。
また、当該収納部４と断熱部１８との間には空気流路２０が形成されている。
当該空気流路２０は、箱部６の奥行方向一側の上部に奥行方向他側に開口した吸入口２２が形成され、奥行方向他側の上部に奥行方向一側に開口した吹出口２４が形成されている。
【００２３】
また、当該空気流路２０において、断熱部１８の底面凹部には、空気を下流側へと送風する送風機２６及び空気流を冷却する蒸発器２８が設けられている。なお、当該蒸発器２８は、機械室１６内に設けられた図示しない圧縮機、凝縮器、膨張弁等を有する冷凍回路と接続されている。
側板部８は、透明なガラスまたは硬質樹脂で成形されており、幅方向で視て側縁が奥行方向外側に向かって下方に傾斜した台形形状をなしている。
【００２４】
天井部１０は、ステンレス鋼により、中空状であって断面が下方に開口した略凹形状に形成されている。当該天井部１０の凹部分には収納部４を照明する蛍光灯３０が配設されている。
開口部１２、１２は、奥行方向両側において、上記箱部６の上縁、側板部８の側縁、及び天井部１０の側縁により囲まれて形成されており、即ち奥行方向外側且つ上方（斜め上方）に向かって開口されている。
【００２５】
引き戸部材１４は、透明なガラスまたは硬質樹脂で成形された平面板部材であり、当該開口部１２の開口面に沿って奥行方向内側（以下、単に内側という）から奥行方向外側（以下、単に外側という）に向かって下方に傾斜して設けられている。
具体的には、それぞれの開口部１２に、内側と外側に２枚ずつ合計４枚の引き戸部材１４が幅方向に並んで設けられている。
【００２６】
当該各引き戸部材１４には、下端縁及び上端縁にそれぞれ樹脂製の下部ガイド３２及び上部ガイド３４（引き戸部材）が設けられている。
そして、当該引き戸部材１４の下部ガイド３２は、開口部１２の下縁、即ち箱部６の上縁に設けられた下側レール３６に幅方向に摺動可能に支持されている。当該下側レール３６は、内側及び外側に溝部３８ａ、３８ｂを有する断面略Ｗ字状をなしており、当該溝部３８ａ、３８ｂに上記内側及び外側の引き戸部材１４、１４の下部ガイド３２、３２が当接している。
【００２７】
一方、引き戸部材１４の上部ガイド３４は、開口部１２の上縁、即ち天井部１０の側縁に設けられた上側レール４０（上側レール部材）により幅方向に摺動可能に支持されている。
詳しくは、図４に示すように、上側レール４０は、天井部１０の上面を形成している外板４２と、当該外板４２の内側にある外レール板４４、及び当該外レール板４４の内側にある内レール板４６から構成されている。
【００２８】
当該上側レール４０の各板４２、４４、４６は、天井部１０の側縁部分において、それぞれ奥行方向において所定の間隔を有して平行に並びつつ、外側下方に向かって延びている。そして、外板４２と外レール板４４との間、及び外レール板４４と内レール板４６との間にそれぞれ引き戸部材１４、１４が配設されている。
また、外板４２は、先端が内側に折り込まれた形状をなしている。
【００２９】
外レール板４４及び内レール板４６は、外側面において、垂直に突出し先端が断面円弧状の突出部４８、５０が形成されており、当該突出部４８、５０の先端に上記引き戸部材１４、１４の上部ガイド３４、３４の内側面が当接されている。なお、外板４２及び外レール板４４の内側面は、内側にある引き戸部材１４、１４と、それぞれ所定の間隔を有している。
【００３０】
また、当該外レール板４４及び内レール板４６の突出部４８、５０より下方には、下端部分において外側上方へ垂直に屈曲しており上方に開口した断面Ｌ字状をなす受け部５２、５４がそれぞれ形成されている。
詳しくは、当該受け部５２、５４は、突出部４８、５０から各レール板４４、４６の延長方向、即ち外側下方へと延びる第１受け面５２ａ、５４ａ、及び当該第１受け面５２ａ、５４ａの下端にある屈曲部５２ｂ、５４ｂにて垂直に屈曲し外側上方へと延びる第２受け面５２ｃ、５４ｃ（延出部）から構成されている。
【００３１】
なお、当該受け部５２、５４の屈曲部５２ｂ、５４ｂは、突出部４８、５０の先端、即ち上部ガイド３４の当接部分よりも下方且つ外側に位置している。また、当該受け部５２、５４の第２受け面５２ｃ、５４ｃの先端は当該引き戸部材１４、１４の内側面と接触しないように所定の間隔を有している。
以下このように構成された本発明に係るショーケースの作用について説明する。
【００３２】
当該ショーケース１は、送風機２６が作動することで吸入口２２から空気流路２０内へ空気が吸入され、当該空気流は蒸発器２８により冷却される。そして冷却された冷気は吹出口２４から奥行方向一側へと吹き出され、収納部４の開口面にエアカーテンを形成しつつ、収納部４を冷却する。このようにして空気流が循環することで収納部４は低温に保たれる。
【００３３】
一方、当該ショーケース１における各開口部１２は、各引き戸部材１４により閉塞されており、商品の取り出しまたは陳列等の作業の際に当該引き戸部材１４が幅方向に摺動されて開放される。
そして、当該引き戸部材１４の開閉が繰り返されることで、当該引き戸部材１４と上側レール４０との当接部分である上部ガイド３４と突出部４８、５０の先端とが摩擦し、擦れカス５６、５８が生じる。
【００３４】
当該擦れカス５６、５８は、主としてステンレス鋼に比べて柔らかい樹脂製の上部ガイド３４、３４が削れたものであり、当該上側レール４０の突出部４８、５０との当接部分から落下することとなる。なお、当該上部ガイド３４、３４が削れても、引き戸部材１４に設けられていることから交換は容易である。
突出部４８、５０の下方には受け部５２、５４の第１受け面５２ａ、５４ａ（延出部）が位置していることから、擦れカス５６、５８は当該第１受け面５２ａ、５４ａに落ち、当該第１受け面５２ａ、５４ａに沿って下端側の屈曲部５２ｂ、５４ｂに堆積される。ここで、当該第２受け面５２ｃ、５４ｃは斜め上方に向かって延びていることから擦れカス５６、５８が当該受け部５２、５４に確実に堆積される。
【００３５】
つまり、擦れカス５６、５８は受け部５２、５４により捕捉され、引き戸部材１４と上側レール４０との当接部分の下方にある収納部４へ擦れカス５６、５８が落下することは確実に防止される。
また、引き戸部材１４の上部ガイド３４、３４は、各レール板４４、４６の先端円弧状をなす突出部４８、５０に支持されていることから、接触面積は最小限に抑えられ、擦れカス５６、５８の量を抑制させることができる。
【００３６】
以上のことから、収納部４の上方に上側レール４０が位置するショーケース１においても、当該収納部４に引き戸部材１４の擦れカス５６、５８が落下することを確実に防止することができ、収納部４に収納される商品の品質を良好に維持することができる。
次に第２実施例について説明する。
図５を参照すると、本発明の第２実施例に係るショーケースの要部断面図が示されている。なお、当該第２実施例は、引き戸部材の上部ガイド及び上側レール以外の構成は上記第１実施例と同様の構成をなしており説明は省略する。
【００３７】
図５に示すように、第２実施例におけるショーケース１’の上側レール６０は、天井部１０’の上面をなす外板６２と、当該外板６２の内側にある外レール板６４、及び当該外レール板６４の内側にある内レール板６６から構成されている。
当該上側レール６０の各板６２、６４、６６は、天井部１０’の側縁部分において、それぞれ所定の間隔を有して平行に並びつつ、外側下方に向かって延びている。
【００３８】
外板６２は先端が内側に折り込まれており、外レール板６４及び内レール板６６は下端部分において外側上方へ屈曲し上方に開口した受け部６８、７０が形成されている。
詳しくは、当該受け部６８、７０は、外レール板６４及び内レール板６６の下端の屈曲部６８ａ、７０ａにて垂直に屈曲し、当該屈曲部６８ａ、７０ａから外側上方へと延びる受け面６８ｂ、７０ｂから構成されている。なお、屈曲部６８ａ、７０ａは、それぞれ外板６２の先端の真下方向に位置している。
【００３９】
一方、内側及び外側の引き戸部材１４’、１４’には、それぞれ上端縁に上部ガイド７２、７２が設けられている。
当該上部ガイド７２は上端から内側下方方向に鋭角に屈曲した断面逆レの字形状をなしている。
詳しくは、当該上部ガイド７２は、引き戸部材１４’から延長するように基部７２ａ、が形成され、上端の屈曲部７２ｂから内側下方に突出片７２ｃが形成されている。
【００４０】
また、当該突出片７２ｃの先端面７２ｄは、引き戸部材１４’の面と平行をなしており、当該先端面７２ｄが外レール板６４及び内レール板６６の外側面と当接している。さらに、当該先端面７２ｄの下端が受け部６８、７０の屈曲部６８ａ、７０ａにて当接することにより奥行方向内側且つ上下方向下側への移動が拘束されて位置決めされ、当該引き戸部材１４’は幅方向に摺動可能に支持されている。
【００４１】
なお、当該上部ガイド７２、７２のうち先端面７２ｄ、７２ｄ以外の部分は、上部ガイド７２の基部７２ａと突出片７２ｃが鋭角に屈曲されているため、外板６２、外レール板６４及び内レール板６６等の他の部材と接触していない。
即ち、当該上部ガイド７２は鋭角に屈曲し、引き戸部材１４’と平行をなす先端面７２ｄの下端が外レール板６４及び内レール板６６において垂直に屈曲した屈曲部６８ａ、７０ａに当接することにより位置決めされていることから、当該上部ガイド７２の突出片７２ｃと外レール板６４及び内レール板６６の受け面６８ｂ、７０ｂとの間には隙間が形成される。
【００４２】
このような構成の当該第２実施例のショーケース１’では、引き戸部材１４’の開閉が繰り返されることで、当該引き戸部材１４’の上側レール６０との当接部分である上部ガイド７２の先端面７２ｄと外レール板６４及び内レール板６６とが摩擦し、擦れカス７４が生じる。
そして、当該擦れカス７４は、上部ガイド７２の突出片７２ｃと外レール板６４及び内レール板６６の受け面６８ｂ、７０ｂとの間の隙間部分に堆積される。ここで、当該受け面６８ｂ、７０ｂは斜め上方に向かって延びていることから擦れカス７４が確実に当該受け部６８、７０に堆積される。
【００４３】
したがって、当該第２実施例係るショーケースにおいても、上記第１実施例と同様に収納部４’への擦れカス７４の落下を確実に防止することができ、収納部４’に収納される商品の品質を維持することができる。
また、当該第２実施例では、上部ガイド７２が受け部６８、７０の屈曲部６８ａ、７０ａにて奥行方向内側且つ上下方向下側への位置決めされる構成であり、引き戸部材１４’をショーケース１’の外側から外レール板４４及び内レール板４６に立て掛けように取り付けることができるので、簡単な操作で引き戸部材１４’の取り付け及び取り外しを行うことができ当該ショーケース１’の整備等の作業性を向上させることができる。
【００４４】
なお、このように上部ガイド７２が受け部６８、７０の屈曲部６８ａ、７０ａにて奥行方向内側且つ上下方向下側への位置決めされる構成ではなく、例えば、上側レール６０及び引き戸部材１４’の形状はそのままで位置決めは下側レール等で行われるものとし、外レール板６４及び内レール板６６の屈曲部６８ａ、７０ａより上方位置にて上部ガイド７２の先端面７２ｃが当接するような構成であってもよく、その場合にも上記第１実施例と同様の効果を奏することができる。
【００４５】
次に第３実施例について説明する。
図６を参照すると、本発明の第３実施例に係るショーケースの要部断面図が示されている。なお、当該第３実施例は、引き戸部材の上部及び上部レール部材以外の構成は上記第１実施例及び第２実施例と同様の構成をなしており説明は省略する。
図６に示すように、第３実施例におけるショーケース１’’の上側レール部材８０は、天井部１０’’の上面をなす外板８２と、当該外板８２の内側にある外レール板８４、及び該外レール板８４の内側にある内レール板８６から構成されている。
【００４６】
当該各板８２、８４、８６は、天井部１０’’の側縁部分において、それぞれ所定の間隔を有して平行に並びつつ、外側下方に向かって延びている。また、当該各板８２、８４、８６の先端はそれぞれ内側に折り込まれた形状をなしている。つまり、当該第３実施例における上側レール部材８０は、一般的な構成をなしている。
一方、内側及び外側の引き戸部材１４’’、１４’’には、それぞれ上端縁に上部ガイド８８、８８が設けられている。
【００４７】
当該上部ガイド８８は、引き戸部材１４’’から延長するように延びている。そして、当該上部ガイド８８の上部の内側面が上記外レール板６４及び内レール板６６の先端部分の外側面と当接して、当該引き戸部材１４’’は幅方向に摺動可能に支持されている。
また、当該上部ガイド８８の下部からは、上方に開口する断面Ｌ字状の受け部９０が形成されている。
【００４８】
詳しくは、当該受け部９０は、上部ガイド８８から内側下方に垂直に延出し第１受け部９０ａ、及び当該第１受け部９０ａの下端の屈曲部９０ｂにて内側上方へと垂直に屈曲して延びる第２受け部９０ｃから構成されている。
なお、当該受け部９０の屈曲部９０ｂは、対応する外レール板８４及び内レール板８６の先端の真下に位置している。
【００４９】
このような構成の当該第３実施例のショーケース１’’では、引き戸部材１４’’の開閉が繰り返されることで、当該引き戸部材１４’’の上側レール８０との当接部分である上部ガイド８８の上部７２ｄと外レール板８４及び内レール板８６の先端部分とが摩擦し、擦れカス９２が生じる。
外レール板８４及び内レール板８６の先端部分の下方には受け部９０の屈曲部９０ｂが位置しており、擦れカス９２は当該受け部９０に捕捉され屈曲部９０ｂに堆積される。ここで、受け部９０の第２受け部９０ｃは斜め上方に向かって延びていることから擦れカス９２が確実に当該受け部９０に堆積される。
【００５０】
したがって、当該第３実施例係るショーケースにおいても、上記第１実施例及び第２実施例と同様に収納部４’’への擦れカスの落下を確実に防止することができ、収納部４’’に収納される商品の品質を維持することができる。
また、当該第３実施例のように、引き戸部材１４’’の上部ガイド８８に受け部９０を形成することで、一般的な構成の上側レール８０に容易に適用することができ、コストの増加を抑制することができる。
【００５１】
以上で本発明に係るショーケースの実施形態についての説明を終えるが、実施形態は上記実施形態に限られるものではない。
上記実施形態では、受け部５２、５４、６８、７０、９０は垂直に屈曲した構成であるが、受け部の形状はこれに限られるものではない。例えば、受け面が水平方向に延びた形状であったり、２箇所以上屈曲部を有する断面凹状の受け部や断面Ｕ字状の受け部であっても構わない。また、受け部を上側レールや引き戸部材とは別の部材としてショーケース１に形成しても構わない。
【００５２】
また、上記実施形態では、奥行方向両側に斜め上方に開口した開口部１２、１２が形成されたショーケース１、１’、１’’であるが、当該構成のショーケースに限るものではない。例えば、本体ケースの奥行方向一側の側面が高く、奥行方向他側の側面が低く、開口部が奥行方向他側上方に向かって斜めに開口しているようなショーケースであっても構わない。
【００５３】
また、上記実施形態では、引き戸部材１４、１４’、１４’’は平面をなしているが、当該引き戸部材の形状はこれに限られるものではなく、例えば外側に湾曲した断面形状をなす引き戸部材であっても構わない。
【図面の簡単な説明】
【００５４】
【図１】本発明に係るショーケースの全体斜視図が示されている。
【図２】本発明の第１実施例に係るショーケースの全体断面図が示されている。
【図３】本発明の第１実施例に係るショーケースの部分斜視図が示されている。
【図４】本発明の第１実施例に係るショーケースの要部斜視図が示されている。
【図５】本発明の第２実施例に係るショーケースの要部斜視図が示されている。
【図６】本発明の第３実施例に係るショーケースの要部斜視図が示されている。
【符号の説明】
【００５５】
１、１’、１’’  ショーケース
１０、１０’、１０’’  天井部
１２  開口部
１４、１４’、１４’’  引き戸部材
３４、７２、８８  上部ガイド（引き戸部材）
４０、６０、８０  上側レール（上側レール部材）
４２、６２、８２  外板
４４、６４、８４  外レール板
４６、６６、８６  内レール板
４８、５０  突出部
５２、５４、６８、７０  受け部
５２ａ、５４ａ  第１受け面
５２ｂ、５４ｂ、６８ａ、７０ａ、７２ｂ、９０ｂ  屈曲部
５２ｃ、５４ｃ  第２受け面（延出部）
５６、７４、９２  擦れカス
６８ｂ、７０ｂ  受け面（延出部）
７２ａ  基部
７２ｂ  屈曲部
７２ｃ  突出片
７２ｄ  先端面
９０ａ  第１受け部
９０ｃ  第２受け部
【図１】
2009045086.tif 000003
【図２】
2009045086.tif 000004
【図３】
2009045086.tif 000005
【図４】
2009045086.tif 000006
【図５】
2009045086.tif 000007
【図６】
2009045086.tif 000008